(57)【特許請求の範囲】
【請求項１】
画像を表示する表示手段と、
複数の画像の各々の画像内容を示す特定情報を取得する画像情報取得手段と、
前記画像情報取得手段が取得した画像内容を示す特定情報に従って前記複数の画像に優先度を個別に設定する優先度設定手段と、
前記複数の画像を複数の表示領域の数の画像グループに分け、各画像グループにおいて前記優先度設定手段が設定した優先度に応じた順位が最高位となる画像を表示対象として選択する画像選択手段と、
前記画像選択手段が画像グループ毎に表示対象として選択した複数の画像を、前記表示手段が有する表示画面における、予め決められている複数の表示レベルを割り当てた前記複数の表示領域の各々に、前記優先度設定手段が取得した優先度が高くなるに従って配置箇所における表示領域の表示レベルが高くなるように配置した状態で、前記表示手段に表示させる表示制御手段と
を備えたことを特徴とする画像表示装置。 
【請求項２】
画像を表示する表示手段と、
複数の画像の各々の画像内容を示す特定情報を取得する画像情報取得手段と、
前記画像情報取得手段が取得した画像内容を示す特定情報に従って前記複数の画像に優先度を個別に設定する優先度設定手段と、
前記複数の画像を複数の表示領域の数の画像グループに分け、各画像グループにおいて前記優先度設定手段が設定した優先度に応じた順位が決められた順位までの複数の画像である複数の高位画像を特定し、前記画像グループ毎に、特定した複数の高位画像の中から決められた規則に従い特定の高位画像を表示対象として選択する画像選択手段と、
前記画像選択手段が画像グループ毎に表示対象として選択した複数の画像を、前記表示手段が有する表示画面における、予め決められている複数の表示レベルを割り当てた前記複数の表示領域の各々に、前記優先度設定手段が取得した優先度が高くなるに従って配置箇所における表示領域の表示レベルが高くなるように配置した状態で、前記表示手段に表示させる表示制御手段と
を備えたことを特徴とする画像表示装置。 
【請求項３】
画像を表示する表示手段と、
複数の画像の各々の画像内容を示す特定情報を取得する画像情報取得手段と、
前記画像情報取得手段が取得した画像内容を示す特定情報に従って前記複数の画像に優先度を個別に設定する優先度設定手段と、
前記複数の画像を複数の画像グループに分け、
各画像グループにおいて前記優先度設定手段が設定した優先度に応じた順位が高位となる画像を表示対象として選択する画像選択手段と、
前記画像選択手段が画像グループ毎に表示対象として選択した複数の画像を、前記表示手段が有する表示画面における、予め決められている複数の表示レベルを割り当てた複数の表示領域の各々に、前記優先度設定手段が取得した優先度が高くなるに従って配置箇所における表示領域の表示レベルが高くなるように配置した状態で、前記表示手段に表示させる表示制御手段と
を備えたことを特徴とする画像表示装置。
【請求項４】
前記複数の表示領域の面積は、前記表示レベルが高くなるに従い大きくなる 
ことを特徴とする請求項１乃至３のいずれかに記載の画像表示装置。 
【請求項５】
前記表示画面における前記複数の表示領域の各々の位置は、前記表示レベルが高くなるに従い前記表示画面の中央に近付く
ことを特徴とする請求項１乃至４のいずれかに記載の画像表示装置。
【請求項６】
画像を表示する表示手段を備えた画像表示装置が有するコンピュータを、
複数の画像の各々の画像内容を示す特定情報を個別に取得する画像情報取得手段と、
前記画像情報取得手段が取得した画像内容を示す特定情報に従って前記複数の画像に優先度を個別に設定する優先度設定手段と、
前記複数の画像を複数の画像グループに分け、
各画像グループにおいて前記優先度設定手段が設定した優先度に応じた順位が高位となる画像を表示対象として選択する画像選択手段と、
前記画像選択手段が画像グループ毎に表示対象として選択した複数の画像を、前記表示手段が有する表示画面における、予め決められている複数の表示レベルを割り当てた複数の表示領域の各々に、優先度が高くなるに従って配置箇所における表示領域の表示レベルが高くなるように配置した状態で、前記表示手段に表示させる表示制御手段と
して機能させることを特徴とするプログラム。
【請求項７】
前記画像情報取得手段は、画像に存在する人物の顔の面積のデータを取得することを特徴とする請求項１乃至５のいずれかに記載の画像表示装置。
【請求項８】
前記画像情報取得手段は、画像に存在する人物の顔の笑顔の度合いを示す笑顔度のデータを取得することを特徴とする請求項１乃至５のいずれかに記載の画像表示装置。
【請求項９】
前記画像情報取得手段は、対象の画像がＩピクチャー、Ｐピクチャー、Ｂピクチャーのいずれのタイプで記録された画像であるかを示すフレーム種別のデータを取得することを特徴とする請求項１乃至５のいずれかに記載の画像表示装置。
【請求項１０】
前記表示手段が表示する画像は、個別に撮影された複数の静止画像であることを特徴とする請求項１乃至５のいずれかに記載の画像表示装置。
【発明の詳細な説明】
【技術分野】
【０００１】
本発明は、撮影により取得された複数の画像を画面上に同時に表示する際における画像の表示技術に関する。
【背景技術】
【０００２】
従来、下記特許文献１には、動画を構成する複数のフレーム画像を画面上に同時に表示する際、ボケの度合いが大きいフレーム画像に、ボケの度合に応じた印（×印や△印）を重畳表示させる技術が記載されている。下記特許文献１に記載の技術によれば、例えば印刷対象とするフレーム画像を選択する際、ユーザが印刷に適さないフレーム画像を選択してしまう事態を未然に防止することができる。
【先行技術文献】
【特許文献】
【０００３】
【特許文献１】特開２００３−３０４４９２号公報
【発明の概要】
【発明が解決しようとする課題】
【０００４】
しかしながら、特許文献１に記載の技術は、複数のフレーム画像の各々から取得されたボケの度合いを示す情報が、ボケの度合に応じた印の重畳表示の有無の判断に利用されているに過ぎない。すなわち特許文献１に記載の技術では、個々のフレーム画像から取得されたボケの度合が単に個々のフレーム画像の表示形態に反映されるに過ぎず、個々のフレーム画像から取得したボケの度合といった画像内容を示す特定情報が複数のフレーム画像の全ての表示形態に反映されるものではない。したがって、複数のフレーム画像の各々から取得された画像内容を示す特定情報が必ずしも有効利用されているとはいない、という問題があった。
【０００５】
本発明は、かかる従来の課題に鑑みてなされたものであり、複数の画像を画面上に同時に表示するに際し、画像毎に取得した画像内容を示す特定情報をより有効に利用することを目的とする。
【課題を解決するための手段】
【０００６】
本発明の第１の観点に係る画像表示装置にあっては画像を表示する表示手段と、複数の画像の各々の画像内容を示す特定情報を取得する画像情報取得手段と、前記画像情報取得手段が取得した画像内容を示す特定情報に従って前記複数の画像に優先度を個別に設定する優先度設定手段と、前記複数の画像を複数の画像グループに分け、各画像グループにおいて前記優先度設定手段が設定した優先度に応じた順位が高位となる画像を表示対象として選択する画像選択手段と、前記画像選択手段が画像グループ毎に表示対象として選択した複数の画像を、前記表示手段が有する表示画面における、予め決められている複数の表示レベルを割り当てた複数の表示領域の各々に、前記優先度設定手段が取得した優先度が高くなるに従って配置箇所における表示領域の表示レベルが高くなるように配置した状態で、前記表示手段に表示させる表示制御手段とを備えたことを特徴とする。
【０００７】
また、本発明の第２の観点に係るプログラムにあっては、画像を表示する表示手段を備えた画像表示装置が有するコンピュータを、複数の画像の各々の画像内容を示す特定情報を個別に取得する画像情報取得手段と、前記画像情報取得手段が取得した画像内容を示す特定情報に従って前記複数の画像に優先度を個別に設定する優先度設定手段と、前記複数の画像を複数の画像グループに分け、各画像グループにおいて前記優先度設定手段が設定した優先度に応じた順位が高位となる画像を表示対象として選択する画像選択手段と、前記画像選択手段が画像グループ毎に表示対象として選択した複数の画像を、前記表示手段が有する表示画面における、予め決められている複数の表示レベルを割り当てた複数の表示領域の各々に、優先度が高くなるに従って配置箇所における表示領域の表示レベルが高くなるように配置した状態で、前記表示手段に表示させる表示制御手段として機能させることを特徴とする。
【発明の効果】
【０００８】
本発明によれば、連続的に撮影された複数の画像を画面上に同時に表示するに際し、画像毎に取得した画像内容を示す特定情報をより有効に利用することが可能となる。
【図面の簡単な説明】
【０００９】
【図１】本発明の実施形態におけるフォトスタンドのハードウェア構成の概略を示すブロック図である。
【図２】フォトスタンドの機能の要部を示す機能ブロック図である。
【図３】フォトスタンドのフレーム表示処理を示すフローチャートである。
【図４】（ａ）は表示用テンプレートを表す概念図であり、（ｂ）は、複数のフレーム画像を同時に表示したときの表示画面を示す説明図である。
【図５】変形例における表示用テンプレートを示す、図４に対応する図である。
【図６】変形例における他の表示用テンプレートを示す、図４に対応する図である。
【図７】変形例における表示対象のフレーム画像の選択方法を示す説明図である。
【図８】変形例におけるフレーム表示処理を示すフローチャートである。
【図９】変形例における表示対象のフレーム画像の他の選択方法を示す説明図である。
【図１０】変形例における他のフレーム表示処理を示すフローチャートである。
【発明を実施するための形態】
【００１０】
以下、本発明を適用した実施形態を図に従って説明する。図１は、本発明の実施形態として例示するフォトスタンド１のハードウェア構成の概略を示すブロック図である。図１に示したフォトスタンド１は、デジタルカメラ等により撮影され画像データとして記録された画像を表示する装置である。また、フォトスタンド１は、本発明の画像表示装置としての機能を有する装置である。
【００１１】
フォトスタンド１は、ＣＰＵ（Central Processing Unit）１０１によってシステムの全体を制御される構成である。ＣＰＵ１０１には、ＲＯＭ（Read Only Memory）１０２、ＲＡＭ（Random Access memory）１０３、メディアコントローラ１０４、操作キー群２０１、ディスプレイ３０１が接続されている。
【００１２】
ＲＯＭ１０２には、ＣＰＵ１０１にシステム全体を制御させるための複数種のプログラムやデータが記憶されているメモリである。ＲＯＭ１０２に記憶されているプログラムには、ＣＰＵ１０１を本発明の画像情報取得手段と優先度設定手段と表示制御手段として機能させる表示制御プログラム１０２ａが含まれる。なお、ＲＯＭ１０２に記憶されているデータについては、後述する。
【００１３】
ＲＡＭ１０３は、ＣＰＵ１０１が必要に応じて種々のデータを一時的に記憶する作業用のメモリである。
【００１４】
メディアコントローラ１０４は、フォトスタンド１の本体に設けられているメモリカードスロットに着脱自在に装着された記録メディア４０と、ＣＰＵ１０１との間におけるデータの入出力を制御する入出力インターフェースである。
【００１５】
記録メディア４０には、デジタルカメラ等により撮影された複数の撮影画像データが記録されている。記録メディア４０に記憶されている撮影画像データには、静止画データや動画データが含まれる。静止画データは、ＪＰＥＧ（Joint Photographic Expert Group）方式により圧縮され、画像サイズ等の付加情報と共に静止画ファイルとして記憶されている画像データである。
【００１６】
動画データは、ＭＰＥＧ−１、ＭＰＥＧ−２、ＭＰＥＧ−４、Ｈ.２６４等のＭＰＥＧ（Motion Picture Experts Group）方式により動画像ファイルとして記録された動画像データである。ＭＰＥＧ方式は、公知のように動画像を構成する一連のフレーム画像がＩピクチャ（Intra-coded picture）、Ｐピクチャ（Predictive-coded picture）及びＢピクチャ（Bi-directionally predictive coded picture）といった３タイプの画像に分類して符号化する動画像の圧縮符号化方式である。
【００１７】
なお、３タイプの画像のうちのＩピクチャは、時間的に前後する他のフレーム画像を用いることなく復号可能な状態で記録される、撮影時に取得された画像データにより表される画像である。つまりＩピクチャは画像としての品質がＰピクチャ及びＢピクチャに比べて高い画像である。
【００１８】
操作キー群２０１は、電源キー、及びユーザがフォトスタンド１の操作に使用する他の操作キーや操作ボタンから構成される。ＣＰＵ１０１は、操作キー群２０１における操作キー等の操作状態を定常的にスキャンすることにより、所定のキー操作によるユーザからの種々の指示を検知する。
【００１９】
ディスプレイ３０１は、例えばバックライト付きのカラー液晶表示パネルと、ＣＰＵ１０１から供給される画像データ等の表示データに応じてカラー液晶表示パネルを駆動する駆動回路とから構成される。
【００２０】
そして、先に述べたＲＯＭ１０２に記憶されているデータには、図４（ａ）に示した表示用テンプレートＴを表すテンプレートデータが含まれる。表示用テンプレートＴは、フォトスタンド１が後述するフレーム表示モードにおいて、複数の画像（動画像を構成する複数のフレーム画像）をディスプレイ３０１の表示画面に同時に表示させる際に使用されるものである。
【００２１】
具体的に説明すると、表示用テンプレートＴは表示画面を複数の表示領域に分割して使用する際における表示領域の分割パターンを示すものである。図４（ａ）に示したように表示用テンプレートＴは、表示画面Ｇの中央に位置する表示領域Ｇ１と、表示画面Ｇの中央に位置する表示領域Ｇ１の周囲の領域を区分することにより確保された他の複数の表示領域Ｇ２〜Ｇ１３とからなる分割パターンを示すものである。
【００２２】
各表示領域Ｇ１〜Ｇ１３の大きさは、表示画面Ｇの中央に位置する表示領域Ｇ１が最大であり、表示画面Ｇの四隅に位置する表示領域Ｇ２，Ｇ５，Ｇ８，Ｇ１１が２番目に大きいものとなっている。さらに、四隅の表示領域Ｇ２，Ｇ５，Ｇ８，Ｇ１１を除いた表示画面Ｇの右辺及び左辺に沿ってそれぞれ上下に並ぶ表示領域Ｇ６，Ｇ７，Ｇ１２，Ｇ１３の大きさが、四隅の表示領域Ｇ２，Ｇ５，Ｇ８，Ｇ１１よりも小さくなっている。そして、四隅の表示領域Ｇ２，Ｇ５，Ｇ８，Ｇ１１を除いた表示画面Ｇの上辺及び下辺に沿ってそれぞれ左右に並ぶ表示領域Ｇ３，Ｇ４，Ｇ１０，Ｇ１９の大きさが最小である。
【００２３】
また、表示用テンプレートＴの各表示領域Ｇ１〜Ｇ１３には、予め決められた第１の表示レベル（Ｌｅｖｅｌ−１）から第４の表示レベル（Ｌｅｖｅｌ−４）の４段階の表示レベルのいずれかが割り当てられている。
【００２４】
図４（ａ）に示したように、各表示領域Ｇ１〜Ｇ１３には、より大きな表示領域に、より高い表示レベルが割り当てられている。すなわち大きさが最大の表示領域Ｇ１に、第１の表示レベル（Ｌｅｖｅｌ−１）が割り当てられ、大きさが２番目の表示領域Ｇ２，Ｇ５，Ｇ８，Ｇ１１に、第１の表示レベル（Ｌｅｖｅｌ−２）が割り当てられている。また、大きさが３番目の表示領域Ｇ６，Ｇ７，Ｇ１２，Ｇ１３に、第３の表示レベル（Ｌｅｖｅｌ−３）が割り当てられ、大きさが最小の表示領域Ｇ３，Ｇ４，Ｇ１０，Ｇ１９に、第４の表示レベル（Ｌｅｖｅｌ−４）が割り当てられている。
【００２５】
そして、ＲＯＭ１０２に記憶されているテンプレートデータには、表示画面の分割パターンを示すパターン情報と、各表示領域Ｇ１〜Ｇ１３に対応する表示レベルを示す表示レベル情報とが含まれている。
【００２６】
図２は、フォトスタンド１が有する機能の要部を示す機能ブロック図である。フォトスタンド１は制御部１０と操作部２０と表示部３０とを有している。制御部１０は、フレーム画像データ取得部１１と、画像情報取得部１２、優先度設定部１３、画像選択部１４、表示制御部１５、記憶部１６により構成されている。
【００２７】
操作部２０は、フォトスタンド１に対するユーザからの各種の指示を検知する機能部分であり、図１に示した操作キー群２０１により実現される。
【００２８】
表示部３０は、記録メディア４０に記録されている静止画データにより表される静止画像や、動画データにより表される動画像、及び動画像を構成する複数のフレーム画像、さらにユーザがフォトスタンド１を操作する際に必要とする各種の操作画面を表示する。表示部３０は、図１に示したディスプレイ３０１により実現される。
【００２９】
フレーム画像データ取得部１１は、記録メディア４０に記録されている任意の動画データを対象として復号処理を行い、各フレームのフレーム画像データを取得し、取得したフレーム画像データを画像情報取得部１２に順に供給する。また、フレーム画像データ取得部１１は、動画データから、特定のフレームのフレーム画像データを取得（復号）し、取得したフレーム画像データを記憶部１６に記憶する。フレーム画像データ取得部１１は図１に示したＣＰＵ１０１により実現される。
【００３０】
画像情報取得部１２は、フレーム画像データ取得部１１から供給されたフレーム画像データを対象として、フレーム画像データにより表されるフレーム画像の画像内容を示す次の特定情報を取得する。すなわち画像情報取得部１２は、フレーム画像に存在する人物の顔の面積、画像に存在する人物の顔の笑顔の度合いを示す笑顔度、対象のフレーム画像がＩピクチャ、Ｐピクチャ、Ｂピクチャのいずれのタイプで記録された画像であるかを示すフレーム種別を取得する。画像情報取得部１２は図１に示したＣＰＵ１０１により実現される。
【００３１】
優先度設定部１３は、画像情報取得部１２が取得した、フレーム画像毎の画像内容を示す特定情報（顔の面積、笑顔度、フレーム種別）を用いた所定の基準に従って、動画像を構成する一連のフレーム画像の各々に優先度を個別に設定する。優先度設定部１３は、図１に示したＣＰＵ１０１により実現される。
【００３２】
画像選択部１４は、優先度設定部１３が設定した優先度に従った順位が、表示用テンプレートＴにおける表示画面の分割数に対応する順位となるまでの複数（本実施形態では「１３」）のフレーム画像を表すフレーム画像データを表示対象として選択する。また、選択したフレーム画像データをフレーム画像データ取得部１１に取得させ、かつ記憶部１６に記憶させる。画像選択部１４は、図１に示したＣＰＵ１０１により実現される。
【００３３】
表示制御部１５は、画像選択部１４が表示対象として選択した複数のフレーム画像データが表す複数のフレーム画像を、表示用テンプレートＴにより示される複数の表示領域Ｇ１〜Ｇ１３に配置した状態でディスプレイ３０１が有する表示画面に表示させる。表示制御部１５は、図１に示したＣＰＵ１０１により実現される。
【００３４】
記憶部１６は、フレーム画像データ取得部１１が取得するフレーム画像データや、画像情報取得部１２が取得する特定情報、優先度設定部１３がフレーム画像毎に設定する優先度を記憶する。また、記憶部１６は、表示制御部１５が複数のフレーム画像をディスプレイ３０１が有する表示画面に表示させる際の表示用の画像データ（後述する合成画像データ）を記憶する。記憶部１６は、図１に示したＲＡＭ１０３により実現される。
【００３５】
次に、以上の構成からなるフォトスタンド１の動作について説明する。フォトスタンド１には、記録メディア４０に記録されている動画像を表示するための表示モードとして、フレーム表示モードが設けられている。フレーム表示モードは、動画像を構成する複数のフレーム画像を選択的に一覧表示する表示モードである。
【００３６】
フレーム表示モードの設定は、ユーザが、操作キー群２０１の所定の操作キーを操作することにより行われる。また、フレーム表示モードにおいてユーザは所定のキー操作によって複数のフレーム画像の表示対象の動画像を選択する。
【００３７】
図３は、フレーム表示モードにおいて、制御部１０（ＣＰＵ１０１）がＲＯＭ１０２に記憶されている表示制御プログラム１０２ａに従って実行するフレーム表示処理であって、表示対象の動画像が選択された後の処理を示したフローチャートである。以下、図３に従いフレーム表示処理の内容を具体的に説明する。
【００３８】
表示対象の動画像が選択された後には、フレーム画像データ取得部１１（ＣＰＵ）が、選択された動画像を表す動画データを記録メディア４０から読み出し、動画像を構成する一連のフレーム画像を表すフレーム画像データの取得を開始する（ステップＳ１）。
【００３９】
フレーム画像データ取得部１１がステップＳ１で開始する処理は、動画データを復号することにより、フレーム毎のフレーム画像データを順に取得する処理である。また、フレーム画像データ取得部１１は、フレーム画像データを取得する毎に、取得したフレーム画像データを記憶部１６（ＲＡＭ１０３）に一時記憶する。なお、動画データを復号する処理については公知であるため説明を省略する。
【００４０】
一方、フレーム画像データ取得部１１におけるステップＳ１の処理は、例えばフォトスタンド１に、記録メディア４０に記録されている個別に撮影された複数の静止画像を画面上に一覧表示する動作を行わせる場合には、以下のような処理に変更することができる。例えばステップＳ１の処理は、記録メディア４０に記録されている全ての静止画像を記録メディア４０から予め決められている順に読み出す処理に変更することができる。ここで、個別に撮影された複数の静止画像とは、例えば全く異なる被写体が撮影された複数の静止画像や、全く異なる時間的に撮影された複数の静止画像である。
【００４１】
以後、制御部１０においては、新たなフレーム画像データを取得する毎に（ステップＳ１：ＹＥＳ）、取得したフレーム画像データを処理対象としてステップＳ３〜ステップＳ１０の処理を繰り返し行う。まず、画像情報取得部１２（ＣＰＵ１０１）が、記憶部１６に記憶されたフレーム画像データに対して顔検出処理を行う（ステップＳ３）。
【００４２】
顔検出処理は、フレーム画像データにより表されるフレーム画像内において人物の顔が存在する領域である顔領域を検出する処理である。画像情報取得部１２における顔領域の検出方法は、例えば検出対象の画像に二値化や輪郭抽出、パターンマッチング等の画像認識技術によって、一定範囲の位置関係にある目や鼻や口が存在する特定領域を顔領域として検出する公知の技術を適用した方法である。
【００４３】
その後、画像情報取得部１２は、顔検出処理で顔領域が検出できたか否かに応じて、以下の処理を行う。まず、顔領域が検出できた場合の処理手順については説明する。顔領域が検出できた場合（ステップＳ４：ＹＥＳ）、画像情報取得部１２は、顔領域スコアを取得する（ステップＳ５）。具体的に説明すると画像情報取得部１２は、検出した顔領域の面積を演算し、演算結果を正規化した値を顔領域スコアとして記憶部１６に記憶する。画像情報取得部１２が計算する顔領域の画素数である。また、演算結果の正規化は、例えば演算結果の決められた桁以下の数値を四捨五入する処理である。
【００４４】
引き続き、画像情報取得部１２は、笑顔度スコアを取得する（ステップＳ６）。具体的に説明すると画像情報取得部１２は、検出した顔領域の顔の笑顔度を取得し、取得した笑顔度を正規化した値を笑顔度スコアとして記憶部１６に記憶する。笑顔度は、検出した顔領域の顔が笑顔に近い度合を数値化したものであり、笑顔の度合いが高いほど値が大きく、笑顔の度合いが低くなるに従って値が小さくなるものである。笑顔度の正規化も、顔領域スコアと同様、例えば笑顔度の決められた桁以下の数値を四捨五入する処理である。
【００４５】
画像情報取得部１２における笑顔度の取得方法は公知の技術によるものであり、ステップＳ６の処理は、例えば特開２００９−０３３４９１号公報に開示された技術、すなわち眼と口元に特徴に基づき笑顔度を判断する技術などを適用した処理である。
【００４６】
一方、ステップＳ４の処理理で顔領域が検出できなかった場合（ステップＳ４：ＮＯ）、画像情報取得部１２は、顔領域スコア、及び笑顔度スコアとして、それぞれの最小値であるゼロを記憶部１６に記憶する（ステップＳ７）。
【００４７】
引き続き、画像情報取得部１２は、品質スコアを取得する（ステップＳ８）。ステップＳ８の処理において、画像情報取得部１２は、まず処理対象のフレーム画像データがＩピクチャのフレーム画像を表すフレーム画像データであるか否かを確認する。
【００４８】
なお、処理対象のフレーム画像データがＩピクチャ、Ｐピクチャ、Ｂピクチャのいずれのタイプのフレーム画像を表すフレーム画像データであるかの情報は、ステップＳ１で開始した動画データの復号化に伴い、各フレームのフレーム画像データを取得する時点でフレーム画像データ取得部１１が取得している。画像情報取得部１２は、フレーム画像データ取得部１１が取得している情報によって、処理対象のフレーム画像データのタイプを判断する。
【００４９】
そして、画像情報取得部１２は、処理対象のフレーム画像データがＩピクチャのデータであれば、品質スコアとして予め決められている最大点（ｘ）を記憶部１６に記憶する。ここで、品質スコアとして予め決められている最大点（ｘ）は、「５０」よりも大きな値である。
【００５０】
また、画像情報取得部１２は、処理対象のフレーム画像データがＩピクチャのデータでなければ、品質スコアとして、「１００」から予め決められている最大点を引いた値（１００−ｘ）を記憶部１６に記憶する。
【００５１】
以上述べたステップＳ８の処理後には、優先度設定部１３（ＣＰＵ１０１）が、画像情報取得部１２により記憶部１６に記憶された顔領域スコアと笑顔度スコアと品質スコアからフレーム画像の優先度を取得し、計算結果を記憶部１６に記憶する（ステップＳ９）。先に述べたように顔領域スコアと笑顔度スコアと品質スコアとは、各々が処理対象のフレーム画像データにより表されるフレーム画像の画像内容を示す特定情報である。
【００５２】
ステップＳ９の処理において優先度設定部１３は、下記（式）を計算し優先度を取得する。
優先度 ＝ α×（顔領域スコア）＋β×（笑顔度スコア）＋γ×（品質スコア）
・・・（式）
（但し、α，β，γは、重み付け係数）
【００５３】
なお、優先度の計算式は、先に述べたように、例えばフォトスタンド１に、個別に撮影された複数の静止画像を画面上に一覧表示する動作を行わせる場合には、以下のように変更する必要がある。すなわち優先度の計算式は、上記（式）の右辺から「＋γ×（品質スコア）」部分を削除したものに変更する必要がある。
【００５４】
また、ステップＳ９の処理において優先度設定部１３は、計算した優先度を、動画像におけるフレームの位置（時系列での位置）を示す、処理対象のフレーム画像データのフレーム番号に対応付けて記憶部１６に記憶する。
【００５５】
その後、制御部１０においては、動画像の最終フレームのフレーム画像データについて優先度が取得（記憶）できるまでの間（ステップＳ１０：ＮＯ）、画像情報取得部１２と優先度設定部１３とがステップＳ２〜ステップＳ９の処理を繰り返す。なお、制御部１０においてステップＳ２〜ステップＳ９の処理が繰り返される間には、記憶部１６に記憶されているフレーム画像データは順次更新される。
【００５６】
やがて、動画像の最終フレームのフレーム画像データについてステップＳ３〜ステップＳ９の処理が完了すると（ステップＳ１０：ＹＥＳ）、画像選択部１４（ＣＰＵ１０１）は、優先度に応じた順位が上位にある表示用テンプレートＴの表示領域数に応じた複数のフレーム画像データを表示対象として選択する（ステップＳ１１）。
【００５７】
先に図４（ａ）に示したように表示用テンプレートＴにおける表示領域数は「１３」である。つまりステップＳ１１の処理おいて画像選択部１４は、記憶部１６に記憶されている優先度が最も高いものから優先度が１３番目となるものまでのフレーム画像データを表示対象として選択する。また、ステップＳ１１の処理において画像選択部１４は、表示対象として選択した複数のフレーム画像データを、フレーム画像データ取得部１１に取得させ、かつ記憶部１６に記憶させる。
【００５８】
なお、以下の説明においては、優先度に応じた順位を単に優先順位と呼び、優先順位がｎ番目のフレーム画像データにより表されるフレーム画像を単に優先順位がｎ番目のフレーム画像と呼ぶものとする。
【００５９】
しかる後、表示制御部１５（ＣＰＵ１０１）が、記憶部１６に記憶された複数のフレーム画像データによってそれぞれ表される複数のフレーム画像を、表示用テンプレートＴに従って配置した状態で表示部３０（ディスプレイ３０１）の表示画面に同時に表示させる（ステップＳ１２）。
【００６０】
表示制御部１５におけるステップＳ１２の処理をより具体的に説明する。ステップＳ１２の処理において表示制御部１５は、記憶部１６に記憶された複数のフレーム画像データを順に表示部３０へ供給することにより、最終的に複数のフレーム画像を表示部３０に同時に表示させる。複数のフレーム画像データの表示部３０への供給は、例えば複数のフレーム画像データの優先順位やフレーム番号順に従い行う。
【００６１】
また、表示制御部１５は、各フレーム画像データを表示部３０へ供給する際には、表示用テンプレートＴを表すテンプレートデータに含まれるパターン情報に従い、表示部３０が有する表示画面を複数の表示領域に分割（区画）する。さらに、パターン情報、及びテンプレートデータに含まれるパターン情報に従い、フレーム画像の表示サイズと、表示すべき表示領域とを制御する。
【００６２】
以上の処理により表示制御部１５は、優先順位が１番目から１３番目のフレーム画像を、表示部３０が有する表示画面に、図４（ｂ）に示したサイズで、かつ図４（ｂ）に示した位置に配置して表示させる。
【００６３】
図４（ｂ）は、表示制御部１５によるステップＳ１２の処理に伴い、複数のフレーム画像を同時に表示したときの表示部３０の表示画面Ｇの状態を便宜的に示した説明図である。図４（ｂ）において「写真」はフレーム画像を示し、「写真」とともに表示した括弧内の数字が各々のフレーム画像の優先順位である。
【００６４】
すなわち、ステップＳ１２の処理において表示制御部１５は、優先順位が１番目のフレーム画像を、表示用テンプレートＴにおいて第１の表示レベル（Ｌｅｖｅｌ−１）が割り当てられている表示領域Ｇ１に配置する。また、表示制御部１５は、優先順位が２番目〜５番目の４枚のフレーム画像を、表示用テンプレートＴにおいて第２の表示レベル（Ｌｅｖｅｌ−２）が割り当てられている表示領域Ｇ２，Ｇ５，Ｇ８，Ｇ１１に配置する。
【００６５】
また、表示制御部１５は、優先順位が６番目〜９番目の４枚のフレーム画像を、表示用テンプレートＴにおいて第３の表示レベル（Ｌｅｖｅｌ−３）が割り当てられている表示領域Ｇ６，Ｇ７，Ｇ１２，Ｇ１３に配置する。また、表示制御部１５は、優先順位が１０番目〜１３番目の４枚のフレーム画像を、表示用テンプレートＴにおいて第４の表示レベル（Ｌｅｖｅｌ−３）が割り当てられている表示領域Ｇ３，Ｇ４，Ｇ１０，Ｇ１９に配置する。
【００６６】
つまり、表示制御部１５は、複数のフレーム画像を、優先順位（優先度）が高くなるに従って配置箇所における表示領域の表示レベルが高くなるように配置した状態で表示画面Ｇ上に表示させる。
【００６７】
なお、表示制御部１５は、同一の表示レベルが割り当てられている複数の表示領域の各々に配置するフレーム画像は、図４（ｂ）に示した優先順位のフレーム画像とする。これにより、制御部１０は、フレーム表示モードによるフレーム表示処理を完了する。
【００６８】
以上のようにフォトスタンド１は、フレーム表示モードで複数のフレーム画像を画面上に同時に表示する際、動画像を構成する全てのフレーム画像について特定情報（顔の面積、笑顔度、フレーム種別）を取得し、取得した特定情報からフレーム画像毎に優先度を計算する。次に、フォトスタンド１は、動画像を構成する全てのフレーム画像の優先度に従い表示すべき複数のフレーム画像を選択する。そして、フォトスタンド１は、選択した複数のフレーム画像を個々の優先度に応じた表示領域Ｇ１〜Ｇ１３に配置した状態で、かつ位置に応じた表示サイズで画面上に同時に表示する。
【００６９】
このため、フォトスタンド１が複数のフレーム画像を表示画面Ｇ上に同時に表示するときには、同時に表示する複数のフレーム画像の各々から取得される特定情報、すなわち画像内容を示す特定情報が複数のフレーム画像の全ての表示形態に反映されることとなる。
【００７０】
よって、フォトスタンド１においては、連続的に撮影された複数のフレーム画像を画面上に同時に表示するに際し、フレーム画像毎に取得した画像内容を示す特定情報をより有効に利用することができる。
【００７１】
さらに、フレーム画像毎に取得する特定情報の種類、及び複数のフレーム画像を配置する表示画面Ｇ上における表示領域の分割パターンは、必要に応じて適宜決めることができる。したがって、フレーム画像毎に取得する特定情報の種類、及び複数のフレーム画像を配置する表示画面Ｇ上の表示領域の分割パターンを、複数のフレーム画像の表示目的に応じて決めることにより、複数のフレーム画像を表示目的に適した状態で表示画面Ｇ上に表示させることができる。
【００７２】
また、本実施形態では、複数のフレーム画像が表示される表示画面Ｇ上の各表示領域の面積を、より高い表示レベルが割り当てられている表示領域ほど、つまり優先度がより高いフレーム画像を表示する表示領域ほど大きくした。したがって、複数のフレーム画像のうちで優先度がより高いフレーム画像、すなわち表示目的に応じたより重要なフレーム画像をより見やすい状態で表示することができる。
【００７３】
また、本実施形態では、表示画面Ｇの各表示領域Ｇ１〜Ｇ１３に、表示画面Ｇにおける位置が中央に近付くほど高くなる表示レベルを割り当てた。つまり複数のフレーム画像を、優先度が高くなるに従って表示画面Ｇの中央に近付くように配置した状態で表示させる。これによっても、複数のフレーム画像のうちで優先度がより高いフレーム画像、すなわち表示目的に応じたより重要なフレーム画像をより見やすい状態で表示することができる。
【００７４】
（変形等）
次に、以上説明した実施形態の変形等について述べる。
【００７５】
本実施形態では、動画像を構成する全てのフレーム画像について取得した特定情報を利用して複数のフレーム画像を表示画面上に同時に表示させる際、図４（ａ）に示した表示用テンプレートＴを使用する構成について説明した。しかし、フォトスタンド１には、図４（ａ）に示したものとは異なる他の表示用テンプレートを使用する構成を採用してもよい。
【００７６】
図５（ａ）は、第１の他の表示用テンプレートＴ１を示した図である。図５（ａ）に示した第１の他の表示用テンプレートＴ１は、表示画面に確保すべき複数の表示領域として、表示画面を分割することなく得られる互いに面積が異なる表示領域Ｇ１〜Ｇ６を示すものである。また、各表示領域Ｇ１〜Ｇ６には、表示レベルとして、面積順に６段階の異なる表示レベルが予め割り当てられている。
【００７７】
フォトスタンド１に、図５（ａ）に示した第１の他の表示用テンプレートＴ１に従い複数のフレーム画像を表示画面上に同時に表示させる構成を採用した場合には、複数のフレーム画像を図５（ｂ）に示した表示形態で表示される。なお、図５（ｂ）においても「写真」はフレーム画像を示し、「写真」とともに表示した括弧内の数字が各々のフレーム画像の優先順位（優先度に応じた順位）である。
【００７８】
したがって、第１の他の表示用テンプレートＴ１に従い複数のフレーム画像を表示画面上に同時に表示させる構成であっても、同時に表示する複数のフレーム画像の各々から取得される特定情報、すなわち画像内容を示す特定情報が複数のフレーム画像の全ての表示形態に反映されることとなる。
【００７９】
よって、第１の他の表示用テンプレートＴ１を用いる構成においても、連続的に撮影された複数のフレーム画像を表示画面上に同時に表示するに際し、フレーム画像毎に取得した画像内容を示す特定情報をより有効に利用することができる。
【００８０】
また、第１の他の表示用テンプレートＴ１を用いる構成では、各々の表示領域Ｇ１〜Ｇ６の面積を、より高い表示レベルが割り当てられている、優先度がより高いフレーム画像を表示する表示領域ほど大きくなる。よって、複数のフレーム画像のうちで優先度がより高いフレーム画像、すなわち表示目的に応じたより重要なフレーム画像をより見やすい状態で表示することができる。
【００８１】
なお、図５に示した表示画面Ｇ内における各々の表示領域Ｇ１〜Ｇ６の配置パターンは一例に過ぎず、適宜変更することができる。
【００８２】
図６（ａ）は、第２の他の表示用テンプレートＴ２を示した図である。図６（ａ）に示した第２の他の表示用テンプレートＴ２は、表示画面に確保すべき複数の表示領域として、表示画面を縦横方向にそれぞれ５等分することにより得られる面積が同一の表示領域（符号は省略する）を示すものである。また、各表示領域には、表示レベルとして３段階の異なる表示レベル（Ｌｅｖｅｌ−１〜Ｌｅｖｅｌ−３）が予め割り当てられている。また、各表示領域に割り当てられている表示レベルは、表示画面Ｇの中心に近い表示領域ほど高く、表示画面Ｇの中央部に位置する表示領域に最大の表示レベルＬｅｖｅｌ−１が割り当てられている。
【００８３】
したがって、第２の他の表示用テンプレートＴ２に従い複数のフレーム画像を表示画面上に同時に表示させる構成であっても、同時に表示する複数のフレーム画像の各々から取得される特定情報、すなわち画像内容を示す特定情報が複数のフレーム画像の全ての表示形態に反映されることとなる。
【００８４】
よって、第２の他の表示用テンプレートＴ１を用いる構成においても、連続的に撮影された複数のフレーム画像を画面上に同時に表示するに際し、フレーム画像毎に取得した画像内容を示す特定情報をより有効に利用することができる。
【００８５】
また、第２の他の表示用テンプレートＴ１を用いる構成では、表示画面Ｇの中央に位置する表示領域に最も高い表示レベルを割り当てることにより、複数のフレーム画像のうちで優先度の最も高いフレーム画像が表示画面Ｇの中央に表示される。
【００８６】
よって、複数のフレーム画像のうちで優先度がより高いフレーム画像、すなわち表示目的に応じた重要なフレーム画像を見やすい状態で表示することができる。
【００８７】
さらに、第２の他の表示用テンプレートＴ１を用いる構成では、表示画面Ｇの中心に近い表示領域ほど、より高い表示レベルを割り当てることにより、複数のフレーム画像のうちで優先度のより高いフレーム画像ほど、表示画面Ｇの中心側に位置する表示領域に表示される。
【００８８】
よって、複数のフレーム画像のうちで優先度がより高いフレーム画像、すなわち表示目的に応じたより重要なフレーム画像をより見やすい状態で表示することができる。
【００８９】
また、本実施形態では、動画像を構成する全てのフレーム画像に設定する優先度を、顔の面積と笑顔度とフレーム種別との３種類の特定情報から取得する構成について説明した。しかし、フォトスタンド１には、各々のフレーム画像に設定する優先度を、３種類の特定情報のうちのいずれか１又は２種類の特定情報のみから取得する構成を採用してもよい。
【００９０】
また、フォトスタンド１には、各々のフレーム画像に設定する優先度を、顔の面積や笑顔度やフレーム種別とは異なる種類の特定情報から取得する構成を採用してもよい。すなわち特定情報には、例えばフレーム画像におけるピントが合っている度合いを示すピント度合いを使用することができる。
【００９１】
特定情報としてピント度合いを使用する場合には、例えば画像情報取得部１２（ＣＰＵ１０１）に以下の処理を行わせればよい。まず、画像情報取得部１２に、フレーム画像を複数のブロック領域に分割し、ブロック領域毎にハイパスフィルタ処理を行って高周波数成分を抽出し、抽出した高周波成分の積算値をピント度合いとして求める処理を行わせる。そして、画像情報取得部１２に、ピント度合いが閾値以上の各ブロック領域のピント度合いの平均値を計算し、計算結果を最終的なピント度合いとして取得する処理を行わせればよい。
【００９２】
また、本実施形態では、動画像を構成する全てのフレーム画像について取得した特定情報からフレーム画像毎に優先度を設定し、設定した優先度に従って表示すべき複数のフレーム画像を選択し、選択した複数のフレーム画像を画面上に同時に表示する構成について説明した。
【００９３】
しかし、フォトスタンド１には、予め画面上に同時に表示すべき表示対象の複数のフレーム画像を予め設定し、表示対象のフレーム画像のみについて特定情報を取得する構成を採用してもよい。なお、表示対象の複数のフレーム画像の設定方法については任意の方法を採用することができる。
【００９４】
また、本実施形態と同様に、動画像を構成する全てのフレーム画像について特定情報を取得し、取得した特定情報からフレーム画像毎に優先度を設定する構成においては、画面上に同時に表示すべき表示対象の複数のフレーム画像を以下の方法により設定してもよい。
【００９５】
例えばフォトスタンド１には、図７に示した方法によって、表示対象として複数のフレーム画像を選択する構成を採用することができる。図７に示した方法では、フォトスタンド１が、まず動画像の全フレームＦを表示対象とすべき複数のフレーム画像の数に応じた複数のフレーム区間Ｆ１，Ｆ２，Ｆ３，・・・に分割（グループ分け）する。次に、フォトスタンド１は、各フレーム区間の複数のフレーム画像において優先順位が最も高い複数のフレーム画像Ｆｇ１，Ｆｇ２，Ｆｇ３，・・・を特定する。そして、フォトスタンド１は、特定したフレーム画像Ｆｇ１，Ｆｇ２，Ｆｇ３，・・・を、それぞれ表示対象として選択する。
【００９６】
なお、各フレーム区間におけるフレーム数は、例えば３００フレームである。また、以下の説明においては、各フレーム区間の複数のフレーム画像のことを画像グループと呼ぶことにする。また、各フレーム区間の複数のフレーム画像において優先順位が最も高いフレーム画像のことを最高位の画像と呼ぶことにする。
【００９７】
フォトスタンド１に、複数のフレーム区間における最高位のフレーム画像を表示対象として選択する構成を採用する場合に、制御部１０が実行するフレーム表示処理の一例を、図８に示したフローチャートに従い説明する。
【００９８】
制御部１０は、まず、フレーム画像データ取得部１１と、画像情報取得部１２と優先度設定部１３とにより、ユーザに選択された動画についてフレーム画像毎に優先度を取得し、記憶部１６に記憶する（ステップＳＡ１）。ステップＳＡ１の処理は、図３のステップＳ１〜ステップＳ１０の処理と同一である。
【００９９】
次に、画像選択部１４は、動画像の全フレームＦを、例えば図４（ａ）に示した表示用テンプレートＴにより示される分割パターンにおける表示領域の数で分割したときの、複数のフレーム区間Ｆ１，Ｆ２，Ｆ３，・・・を特定する（ステップＳＡ２）。複数のフレーム区間の特定とは、各フレーム区間の先頭及び末尾のフレーム番号を取得することである。
【０１００】
引き続き、画像選択部１４は、各フレーム区間Ｆ１，Ｆ２，Ｆ３，・・・における複数のフレーム画像データの中で、優先順位が最高位のフレーム画像データを表示対象として選択する（ステップＳＡ３）。
【０１０１】
しかる後、表示制御部１５が、画像選択部１４が表示対象として選択したフレーム区間数分の複数のフレーム画像データによってそれぞれ表される複数のフレーム画像Ｆｇ１，Ｆｇ２，Ｆｇ３，・・・を、表示用テンプレートＴに従って配置した状態で表示部３０の表示画面に同時に表示させる（ステップＳＡ４）。
【０１０２】
上記の変形例（以下、第１の変形例という。）においては、既説した実施形態と比べると以下の利点を得ることができる。
【０１０３】
すなわち、第１の変形例では、表示画面内の各表示領域に表示される各フレーム画像は、異なるシーン（フレーム区間）から選択されたフレーム画像となる。このため、第１の変形例では、例えば優先度の高いフレーム画像が全て同じフレーム区間内にのみ集中していた場合であっても、互いに異なるシーンの複数のフレーム画像が画面上に表示される。
【０１０４】
よって、第１の変形例によれば、既説した実施形態と比べると、画面上に表示される複数のフレーム画像を変化に富んだ内容の画像とすることができる。
【０１０５】
さらに、例えばフォトスタンド１には、図９に示した以下の方法によって、表示対象として複数のフレーム画像を選択し、かつ選択した複数のフレーム画像を表示する構成を採用してもよい。図９に示した方法では、フォトスタンド１が、まず動画像の全フレームＦを表示対象とすべき複数のフレーム画像の数に応じた複数のフレーム区間Ｆ１，Ｆ２，Ｆ３，・・・に分割（グループ分け）する。次に、フォトスタンド１は、各フレーム区間の複数のフレーム画像（画像グループ）において優先順位が１番目から３番目の高位のフレーム画像Ｆｇｎ・・・を特定する。なお、以下の説明においては、優先順位が１番目から３番目のフレーム画像を高位画像と呼ぶことにする。また、優先順位が１番目から３番目のフレーム画像をそれぞれ表すフレーム画像データを高位のフレーム画像データと呼ぶことにする。
【０１０６】
しかる後、フォトスタンド１は、特定したフレーム区間毎の３枚１組のフレーム画像Ｆｇｎ・・・から、一定の時間間隔で、フレーム区間毎に予め決められた方法で（例えばランダムに）、いずれかのフレーム画像を順に選択し、画面上に同時に表示させる。つまり、図９に示した方法では、フォトスタンド１が、各フレーム区間の３枚１組のフレーム画像Ｆｇｎのいずれか１枚をスライド表示させる。
【０１０７】
フォトスタンド１に、図９に示した方法によって、表示対象として複数のフレーム画像を選択し、かつ選択した複数のフレーム画像を表示する構成を採用する場合に、制御部１０が実行するフレーム表示処理の一例を、図１０に示したフローチャートに従い説明する。
【０１０８】
制御部１０は、まず、フレーム画像データ取得部１１と、画像情報取得部１２と優先度設定部１３とにより、ユーザに選択された動画についてフレーム画像毎に優先度を取得し、記憶部１６に記憶する（ステップＳＢ１）。ステップＳＢ１の処理は、図３のステップＳ１〜ステップＳ１０の処理と同一である。
【０１０９】
次に、画像選択部１４は、動画像の全フレームＦを、例えば図４（ａ）に示した表示用テンプレートＴにより示される分割パターンにおける表示領域の数で分割したときの、複数のフレーム区間Ｆ１，Ｆ２，Ｆ３，・・・を特定する（ステップＳＢ２）。複数のフレーム区間の特定とは、各フレーム区間の先頭及び末尾のフレーム番号を取得することである。
【０１１０】
引き続き、画像選択部１４は、各フレーム区間Ｆ１，Ｆ２，Ｆ３，・・・毎に、優先順位が３番目までの高位のフレーム画像データを特定する（ステップＳＢ３）。
【０１１１】
その後、画像選択部１４は、表示対象とすべき高位のフレーム画像データ（３枚のフレーム画像のいずれか）の、各フレーム区間での優先順位を示す変数値（Ｎ）をインクリメントする処理を行う（ステップＳＢ４）。処理開始当初は、変数値（Ｎ）は「０」であるため、変数値（Ｎ）には「１」がセットされる。
【０１１２】
次に、画像選択部１４は、各フレーム区間における３フレーム分の高位のフレーム画像データの中で、優先順位がＮ番目となる高位のフレーム画像データを表示対象として選択する（ステップＳＢ５）。
【０１１３】
次に、表示制御部１５が、画像選択部１４が表示対象として選択したフレーム区間数分の複数のフレーム画像データによってそれぞれ表されるフレーム画像ｇ，ｇ，ｇ，・・・を、表示用テンプレートＴに従って配置した状態で表示部３０の表示画面に同時に、一定時間（例えば０．５秒間）だけ表示させる（ステップＳＢ６）。
【０１１４】
以後、制御部１０は、表示対象とすべき高位のフレーム画像データの、各フレーム区間での優先順位を示す変数値（Ｎ）が「３」になるまでの間（ステップＳＢ７：ＮＯ）、ステップＳＢ４〜ステップＳＢ６の処理を繰り返し行う。
【０１１５】
そして、制御部１０は、各フレーム区間における３フレーム分の高位のフレーム画像データの中で、優先順位が３番目となる高位のフレーム画像データにより表される複数のフレーム画像の表示が終了した時点で（ステップＳＢ７：ＹＥＳ）、処理を終了する。
【０１１６】
上記の変形例（以下、第２の変形例という。）においては、第１の変形例と同様、既説した実施形態と比べると、以下の利点を得ることができる。
【０１１７】
すなわち、第２の変形例においては、表示画面内の各表示領域に複数回表示（スライド表示）される各フレーム画像は、異なるシーン（フレーム区間）から選択されたフレーム画像となる。このため、第２の変形例では、例えば優先度の高いフレーム画像が全て同じフレーム区間内にのみ集中していた場合であっても、互いに異なるシーンの複数のフレーム画像が画面上に毎回表示される。
【０１１８】
よって、第２の変形例においても、既説した実施形態と比べると、画面上に表示される複数のフレーム画像を変化に富んだ内容の画像とすることができる。
【０１１９】
また、以上の説明においては、フォトスタンド１が、動画像を構成する複数のフレーム画像を選択的に一覧表示する構成について説明した。しかし、本発明は、例えばフォトスタンド１において、連写撮影機能を有するデジタルカメラ等により連続的に撮影された一連の静止画像を対象として、複数の静止画像を選択的に、又は一括して一覧表示する場合にも適用することができる。
【０１２０】
さらに、本発明は、個別に撮影された複数の静止画像を画面上に一覧表示する場合にも適用することができる。
【０１２１】
フォトスタンド１に、連続的に撮影された一連の静止画像や個別に撮影された複数の静止画像を対象とする構成を採用した場合であっても、既説した実施形態と同様の効果を得ることができる。表示対象が複数の静止画像の場合には、フォトスタンド１が複数の静止画像を画面上に同時に表示する際、複数の静止画像のうちで優先度がより高い静止画像、すなわち表示目的に応じたより重要な静止画像がより見やすい状態で表示される。
【０１２２】
なお、フォトスタンド１が、連続的に撮影された一連の静止画像や個別に撮影された複数の静止画像を対象として、変形例１や変形例２で説明した動作を行う場合、フォトスタンド１には、複数の静止画像を以下のようにグループ分けする構成を採用すればよい。例えばフォトスタンド１には、複数の静止画像を、撮影日時（記録日時）を基準として複数のグループにグループ分けする構成を採用すればよい。
【０１２３】
また、本実施形態では、画像データとして記録されている画像を表示するフォトスタンド１に本発明を適用した場合について説明した。しかし、本発明は、複数の画像を同時に表示するための表示手段を備えたものであれば、任意の装置に適用することができる。任意の装置にはデジタルカメラや、カメラ付き携帯電話端末等が含まれる。
【符号の説明】
【０１２４】
１    フォトスタンド
１０    制御部
１１    フレーム画像データ取得部
１２    画像情報取得部
１３    優先度設定部
１４    画像選択部
１５    表示制御部
１６    記憶部
２０    操作部
３０    表示部
４０    記録メディア
１０１    ＣＰＵ
１０２    ＲＯＭ
１０２ａ    表示制御プログラム
１０３    ＲＡＭ
１０４    メディアコントローラ
２０１    操作キー群
３０１    ディスプレイ
Ｇ    表示画面
Ｇ１〜Ｇ１３    表示領域
Ｔ    表示用テンプレート
【図１】
0005521591.tif 000002
【図２】
0005521591.tif 000003
【図３】
0005521591.tif 000004
【図４】
0005521591.tif 000005
【図５】
0005521591.tif 000006
【図６】
0005521591.tif 000007
【図７】
0005521591.tif 000008
【図８】
0005521591.tif 000009
【図９】
0005521591.tif 000010
【図１０】
0005521591.tif 000011